(57)【特許請求の範囲】
【請求項１】
芯線部と、該芯線部に該芯線部の軸線を中心として放射状に取付けられつつ該芯線部の軸線方向に螺旋状態をもって連続するブリストル群と、を備えている化粧用ブラシにおいて、
前記ブリストル群における各ブリストルが、基本繊維と、該基本繊維の外周面に螺旋状に巻回されている巻回繊維と、を一体化した状態をもって構成され、
前記基本繊維が、複数の構成繊維を束状にすることにより構成され、
前記基本繊維の外周面に、各隣り合う前記構成繊維間において溝状の凹所がそれぞれ形成され、
前記巻回繊維が、前記束状の複数の構成繊維に対して螺旋状に巻回されている、
ことを特徴とする化粧用ブラシ。
【請求項２】
請求項１において、
前記基本繊維としての複数の構成繊維が、該基本繊維の軸線を中心としてねじられている、
ことを特徴とする化粧用ブラシ。
【請求項３】
請求項２において、
前記巻回繊維と前記各構成繊維とが、該巻回繊維の螺旋方向と該各構成繊維のねじれ方向とに基づき、交差するように配置され、
前記巻回繊維と前記各構成繊維とは、該両者の各交差点から前記基本繊維の周方向に遠のくに従って該基本繊維の軸線方向において互いに離れるように伸ばされている、
ことを特徴とする化粧用ブラシ。
【発明の詳細な説明】
【技術分野】
【０００１】
本発明は、マスカラ等の液体化粧料の塗布に用いられる化粧用ブラシに関する。
【背景技術】
【０００２】
マスカラ等の液体化粧料の塗布に用いられる化粧用ブラシは、一般に、特許文献１に示すように、芯線部と、その芯線部にその芯線部の軸線を中心として放射状に取付けられつつその芯線部の軸線方向に螺旋状態をもって連続するブリストル群（ブラシ毛群、針毛群）と、を備えている。【０００３】
このものにおいては、ブリストル群が略円柱状のブラシ部を構成することになり、そのブリストル群を液体化粧料に浸漬することにより、その液体化粧料を、そのブリストル群における各ブリストルに付着させると共に、各隣り合うブリストル間に保持させることができる。このため、そのブリストル群の側面を睫毛等の塗布対象に当てれば、そのブリストル群に保持されている液体化粧料を塗布対象に塗布することができる。
【先行技術文献】
【特許文献】
【０００４】
【特許文献１】特許５５０７６７６号
【発明の概要】
【発明が解決しようとする課題】
【０００５】
しかし、上記化粧用ブラシにおいては、ブリストル群の各ブリストルの外周面が滑らかな連続面としてそれぞれ形成されており、液体化粧料に対する各ブリストル自体、及び各隣り合うブリストル間の空間での保持能力は十分と言えるほどまで高くはなく、睫毛のボリュームアップ等を図る観点から、液体化粧料の保持能力を高めることが望まれる。【０００６】
また、上記化粧用ブラシにおいて、各ブリストルの外周面が滑らかな連続面としてそれぞれ形成されていることは、睫毛に対する捕捉性、捕捉保持性（キャッチ性）を十分に高めることにならず、睫毛に対するカール付けや、睫毛のボリュームアップ等のきめ細やかな調整を容易に行うことに関し、限界をもたらしている。【０００７】
本発明は、上記実情に鑑みてなされたもので、その目的は、液体化粧料の保持能力を高めることができると共に、睫毛に対するきめ細やかな調整を、一層容易に行うことができる化粧用ブラシを提供することにある。
【課題を解決するための手段】
【０００８】
前記目的を達成するために本発明（請求項１に係る発明）にあっては、
芯線部と、該芯線部に該芯線部の軸線を中心として放射状に取付けられつつ該芯線部の軸線方向に螺旋状態をもって連続するブリストル群と、を備えている化粧用ブラシにおいて、
前記ブリストル群における各ブリストルが、基本繊維と、該基本繊維の外周面に螺旋状に巻回されている巻回繊維と、を一体化した状態をもって構成されている構成とされている。この請求項１の好ましい態様としては、請求項２以下の記載の通りである。
【発明の効果】
【０００９】
本発明（請求項１に係る発明）によれば、各ブリストルが、基本繊維と、該基本繊維の外周面に螺旋状に巻回されている巻回繊維と、を一体化した状態をもって構成されていることから、基本繊維の外周面に巻回繊維により螺旋状の凸部が形成されることになり、各ブリストルの比表面積（液体化粧料の付着面積（単位体積又は単位重量当たりの表面積））を、各ブリストルの外周面に凸部が形成されていない場合に比して増大させることができると共に、各ブリストルにおける螺旋状の凸部により各隣り合うブリストル間に多数の細かな保持空間を形成できる。このため、当該化粧用ブラシにおいては、液体化粧料の保持能力を高めることができる。【００１０】
また、芯線部に該芯線部の軸線を中心として放射状に取付けられつつ該芯線部の軸線方向に螺旋状態をもって連続するブリストル群の下で、その各ブリストルにおいて、基本繊維の外周面に巻回繊維により螺旋状の凸部が形成されていることから、ブリストル群の螺旋状態と、その各ブリストルにおける凸部（巻回繊維）の螺旋状態の両方が有効に利用されて、各ブリストルにおける凸部は、方々の方向に向けて突出することになり、当該化粧用ブラシの使用において、睫毛に対する各ブリストルの捕捉性、捕捉保持性（キャッチ性）を高めることができる。このため、当該化粧用ブラシを用いれば、睫毛に対する各ブリストルの接触時間（関与時間）を高めることができ、睫毛に対する各ブリストルによる処理時間、液体化粧料の塗布時間、塗布量を増大させることができる。これにより、睫毛に対するカール付けや、睫毛のボリュームアップ等、きめ細かな調整を、一層容易に行うことができる。【００１１】
さらに、各ブリストルにおいて、基本繊維の外周面に巻回繊維が螺旋状に巻回されて、螺旋状の凸部が形成されていることから、液体化粧料として、繊維が含有されているものを使用する場合には、その液体化粧料中にブリストル群を浸漬する際、その液体化粧料中の含有繊維を、各ブリストルにおける螺旋状の凸部（巻回繊維）に絡み易くすることができる。このため、当該化粧用ブラシを用いれば、繊維を含有する液体化粧料をブリストル群に的確に保持できる。【００１２】
さらにまた、各ブリストルにおいて、基本繊維の外周面に巻回繊維が螺旋状に巻回されて、補強構造が採られていることから、各ブリストルの強度、剛性を高めることができる。【００１３】
請求項２に係る発明によれば、基本繊維が、複数の構成繊維を束状にすることにより構成され、基本繊維の外周面に、各隣り合う構成繊維間において溝状の凹所がそれぞれ形成され、巻回繊維が、束状の複数の構成繊維に対して螺旋状に巻回されていることから、前記請求項１と同様の作用効果を生じるだけでなく、基本繊維の外周面における各隣り合う構成繊維間の溝状の凹所により、各ブリストルにおける基本繊維において、その外周面の比表面積（液体化粧料の付着面積）を増大させることができる。このため、当該化粧用ブラシにおいては、液体化粧料の保持能力を、一層高めることができる。【００１４】
しかもこの場合、上記各溝状の凹所内に液体化粧料が保持され易くなるが、その各溝状の凹所として、基本繊維の軸線方向に伸びるものが、基本繊維の外周面に、その周回り方向において順次、配置されていることから、その各凹所内に液体化粧料が保持されることにより、基本繊維の全外周面に偏りなく多量の液体化粧料を保持できる。【００１５】
また、各ブリストルにおいて、基本繊維の外周面に巻回繊維が螺旋状に巻回されて、複数の構成繊維を巻回繊維により強く束ねていることから、各構成繊維間に大きな摩擦力等を発生させることができ、この観点から、各ブリストルの強度、剛性を高めることができる。このため、前述のように、ブリストル群において液体化粧料の保持能力が向上するとしても（液体化粧量を多量に保持できる場合であっても）、それに対して的確に対応できる強度、剛性を各ブリストルに確保できると共に、ブリストルの櫛歯としての機能を向上させることができる。【００１６】
請求項３に係る発明によれば、基本繊維としての複数の構成繊維が、該基本繊維の軸線を中心としてねじられていることから、これに伴い、基本繊維（複数の構成繊維）の外周面において、各隣り合う構成繊維間が形成する溝状の凹所も、ねじられた状態となり、その各凹所の伸び量は、基本繊維の全長が等しい条件の下で、溝状の凹所が基本繊維の軸線方向に真っ直ぐに伸びるものよりも増大させることができる。このため、そのような溝状の凹所を有する基本繊維においては、液体化粧料の付着面積を一層、増大させることができることになり、液体化粧料に対する各ブリストルの保持能力を一段と向上させることができる。【００１７】
また、基本繊維としての束状の複数の構成繊維がねじられていることから、その外周側の構成繊維が内周側の構成繊維の束を締め付けることになり、内周側の構成繊維を外周側の構成繊維によっても強く束ねることができる。このため、各構成繊維間に複数の構成繊維のねじりにより大きな摩擦力等を発生させて、各ブリストルの剛性、強度を一層、高めることができ、液体化粧料の保持能力が向上するとしても、それに伴い、各ブリストルの強度等をより確実に対応させることができる。【００１８】
請求項４に係る発明によれば、巻回繊維と各構成繊維とが、該巻回繊維の螺旋方向と該各構成繊維のねじれ方向とに基づき、交差するように配置され、巻回繊維と各構成繊維とは、該両者の各交差点から基本繊維の周方向に遠のくに従って該基本繊維の軸線方向において互いに離れるように伸ばされていることから、外周側の構成繊維に対する巻回繊維の効果的な締め付けを通じて、複数の構成繊維全体を締め付けることができ、基本繊維をなす複数の構成繊維全体を強く束ねることができる。このため、各ブリストルの強度、剛性をより一層、高めることができ、液体化粧料の保持能力が向上するとしても、それに伴い、強度等の観点から対応するものとして好ましいものを提供できる。
【図面の簡単な説明】
【００１９】
【図１】実施形態に係るマスカラブラシが用いられたマスカラ用塗布具を示す縦断面図。
【図２】実施形態に係るマスカラブラシの要部を示す拡大正面図。
【図３】実施形態に係るマスカラブラシにおけるブラシ部の一部を拡大して示す写真図。
【図４】実施形態に係るマスカラブラシにおけるブラシ部のブリストル群を拡大して示す写真図。
【図５】実施形態に係るブラシ部のブリストルの一部を拡大して示す図。
【図６】実施形態に係るブリストルの一部を示す拡大断面図。
【図７】実施形態に係るマスカラブラシ（ブラシ部）の製造方法を説明する説明図。
【発明を実施するための形態】
【００２０】
以下、本発明の実施形態について説明する。
【００２１】
図１において、符号１は、マスカラ用塗布具を示している。このマスカラ用塗布具１は、化粧料容器１０と、その化粧料容器１０内に挿着される化粧用ブラシとしてのマスカラブラシ２０と、を備えている。
【００２２】
化粧料容器１０は、図１に示すように、全体的に細長い有底円筒形状に形成されており、その内部には、液体化粧料であるマスカラ液１２が収容されている。
【００２３】
マスカラブラシ２０は、図１〜図３に示すように、本実施形態においては、芯線部３２と、芯線部３２の基端部に対して一端部が取付けられる筆軸部２２と、芯線部３２に、その芯線部３２の基端部よりも伸び方向内方側から先端部にかけて形成されるブリストル群３０と、を備えている。
【００２４】
芯線部３２は、本実施形態においては、図１〜図３に示すように、一対の金属線材４０を捻り合わせることにより構成されており、その捻り合わされた一対の金属線材４０は、一定長さをもって真っ直ぐに伸ばされている。
【００２５】
筆軸部２２は、図１に示すように、ユーザが把持する部分であり、その筆軸部２２の他端部には、芯線部３２及び筆軸部２２の一端部側を化粧料容器１０内に挿入したとき、その化粧料容器１０の開口部に挿着できるキャップ２３が備えられている。
【００２６】
ブリストル群３０は、図１〜図３に示すように、全体形状略円柱状のブラシ部を形成すべく、多数（複数）のブリストル（ブラシ毛、針毛）３１により構成されている。多数のブリストル３１は、その存在領域（芯線部３２の基端部よりも伸び方向内方側から先端部にかけての領域）において、芯線部３２に、その芯線部３２の軸線を中心として放射状に取付けられていると共に、そのブリストル３１の放射状の状態が、芯線部３２の軸線方向に螺旋状態をもって連続することになっている。しかも、その連続するブリストル３１の螺旋状態は、芯線材３２の軸線方向に乱されており、ブリストル３１は、本来の螺旋状態ではブリストルが存在しない領域において、芯線材３２の軸線方向にばらけた状態で配置されている(図２参照)。
【００２７】
このため、このようなブリストル群３０を芯線部３２に形成するに際しては、図７に示すように、十分に長い長さの製造用ブリストル４２を多数用意し、その多数の製造用ブリストル４２の伸び方向中央部を、芯線部３２を構成する一対の金属線材４０、４０間に挟み、その一対の金属線材４０を図７矢印方向に捻ることが行われる。この場合、ブリストル３１が、本来の螺旋状態ではブリストルが存在しない領域において、芯線材３２の軸線方向にばらけた状態で配置される構造については、後述のブリストル３１の異形断面と同様の異形断面を有する製造用ブリストル４２と、そのブリストル４２を一対の金属線材４０、４０により捻ることとが関与する。
【００２８】
前記各ブリストル３１は、図４、図５に示すように、基本繊維３１Ａと、該基本繊維３１Ａの外周面に巻回されている巻回繊維３１Ｂと、を一体化した状態をもって構成されている。
【００２９】
基本繊維３１Ａは、その全長（芯線部３２から基本繊維３１Ａ先端までの長さ）が３ｍｍ前後程度に設定され、その基本繊維３１Ａの直径は、０．０７〜０．１３ｍｍ程度に設定されている。この基本繊維３１Ａは、本実施形態においては、複数の構成繊維３１Ａａを束状とすることにより構成されており、その各構成繊維３１Ａａは、図６に示すように、溶着により一体化されている。これにより、基本繊維３１Ａの外周面においては、各隣り合う構成繊維３１Ａａ間に微細な溝状の凹所３３が形成され、その各微細な溝状の凹所３３は、基本繊維３１Ａの周回り方向に順次、配置された状態をもって、基本繊維３１Ａの軸線方向全長に亘って伸びている。
【００３０】
しかもこの場合、複数の構成繊維３１Ａａが、基本繊維３１Ａの軸線を中心としてねじられている。このため、前記微細な溝状の凹所３３は、基本繊維３１Ａの外周面において螺旋状態を形成しつつ該基本繊維３１Ａの軸線方向に向けて伸ばされ、その微細な溝状の凹所３３の伸び量は、基本繊維３１Ａの全長を等しくする条件の下で、基本繊維３１Ａの軸線方向に真っ直ぐに伸びるものの場合よりも長くなっており、各ブリストル３１における基本繊維３１Ａ外周面の比表面積は、その複数の微細な凹所３３の存在により、基本繊維３１Ａを１本の構成繊維（滑らかな外周面を有するもの）により構成する場合よりもかなり大きくなっている。
【００３１】
また、複数の構成繊維３１Ａａが、基本繊維３１Ａの軸線を中心としてねじられていることに伴い、複数の構成繊維３１Ａａのうち、外周側の構成繊維３１Ａａが、内周側の構成繊維３１Ａａの束を締め付けることになっている。このため、外周側の構成繊維３１Ａａが内周側の構成繊維３１Ａａを強く束ねることになり、各構成繊維３１Ａａ間に大きな摩擦力等が発生して、各ブリストル３１の剛性、強度は一段と高いものとなっている。このような各構成繊維３１Ａａとしては、ＰＥＴ樹脂（ポリエチレンテレフタレート）等の既知のものが用いられている。
【００３２】
前記巻回繊維３１Ｂは、図４、図５に示すように、前記基本繊維３１Ａ（複数の構成繊維３１Ａａ）に対して螺旋状に巻回されている。
【００３３】
巻回繊維３１Ｂと基本繊維３１Ａとは、溶着により一体化されており、基本繊維３１Ａの外周面には巻回繊維３１Ｂにより螺旋状の凸部（以下、巻回繊維３１Ｂと同符号を用いる）が形成されている。これにより、各ブリストル３１の比表面積（マスカラ液１２の付着面積）は、前述の基本繊維３１Ａ外周面自体による比表面積の増大（複数の微細な溝状の凹所３３に基づくもの）だけでなく、基本繊維３１Ａ外周面上の螺旋状の凸部３１Ｂによっても増大されることになっており、各ブリストル３１の比表面積は、各ブリストル３１の外周面に螺旋状の凸部３１Ｂが形成されていない場合に比して大きくされている。
【００３４】
この巻回繊維３１Ｂとしては、ＰＥＴ樹脂（ポリエチレンテレフタレート）等の既知のものが用いられ、その直径としては、睫毛に対する各ブリストル３１の捕捉性、捕捉保持性（キャッチ性）を高める観点から、さらには、各隣り合うブリストル３１間に多数の細かな保持空間を形成する観点から、各ブリストル３１外周面に形成される螺旋状の凸部３１Ｂ（突出量）を好ましいものとするために適宜のものを選択することができる。
【００３５】
また、上記巻回繊維３１Ｂの螺旋ピッチＰとしては、睫毛の梳き、案内等の観点から設定するのが好ましい。これにより、睫毛に対する梳き、案内機能は、各ブリストル３１の他に、各ブリストル３１における螺旋状の巻回繊維（螺旋状の凸部）３１Ｂ（巻回繊維３１Ｂの螺旋ピッチ）によっても発揮されることになり、梳き、案内機能を高めることができる。
【００３６】
さらに本実施形態においては、図５に示すように、巻回繊維３１Ｂと各構成繊維３１Ａａとが、該巻回繊維３１Ｂの螺旋方向と該各構成繊維３１Ａａのねじれ方向とに基づき、交差するように配置され、巻回繊維３１Ｂと各構成繊維３１Ａａとは、該両者３１Ｂ，３１Ａａの各交差点から基本繊維３１Ａの周方向に遠のくに従って該基本繊維３１Ａの軸線方向において互いに離れるように伸ばされている（たすき状又は略Ｘ字状に交差）。これにより、巻回繊維３１Ｂは、複数の構成繊維３１Ａａをそのねじれを効果的に抑制するように締め付けることになり、基本繊維３１Ａをなす複数の構成繊維３１Ａａ全体は強固に束ねられることになっている。このため、各構成繊維３１Ａａ間においては、より大きな摩擦力等が発生することになり、各ブリストル３１の剛性、強度は、著しく高いものとなっている。
【００３７】
このようなマスカラブラシ２０を使用するに際しては、マスカラブラシ２０のブリストル群（ブラシ部）３０をマスカラ液１２に浸漬して、ブリストル群３０にマスカラ液を保持させた後、ブリストル群３０側面側を睫毛の下側に配置し、筆軸部２２を回転させつつ上方へ移動させる操作を行う。これにより、睫毛にマスカラ液１２を塗布できることになる。
【００３８】
この場合、基本繊維３１Ａ（複数の構成繊維３１Ａａ）外周面において螺旋状に伸びる複数の微細な溝状の凹所３３、基本繊維３１Ａ外周面上の巻回繊維３１Ｂにより、各ブリストル３１の比表面積が著しく高められていることから、マスカラ液１２に対する各ブリストルの付着面積を増大させることができる。また、各ブリストル３１において、基本繊維３１Ａ外周面上の巻回繊維３１Ｂにより螺旋状の凸部３１Ｂが形成されて、各隣り合うブリストル３１間に多数の細かな保持空間を形成できることになる。このため、ブリストル群３０においては、マスカラ液１２の保持能力をこれまで以上に高めることができることになり、ブリストル群３０をマスカラ液１２に頻繁に浸漬する必要性をなくして、操作性を高めることができると共に、睫毛に対するマスカラ液１２の多量の塗布を可能として、睫毛をボリュームアップすることを容易に行うことができる。
【００３９】
また、芯線部３２に該芯線部３２の軸線を中心として放射状に取付けられつつ該芯線部３２の軸線方向に螺旋状態をもって連続するブリストル群３０の下で、その各ブリストル３１において、基本繊維３１Ａの外周面に巻回繊維３１Ｂにより螺旋状の凸部３１Ｂが形成されていることから、ブリストル群３０の螺旋状態と、その各ブリストル３１における凸部（巻回繊維）３１Ｂの螺旋状態とが有効に利用されて、各ブリストル３１における凸部３１Ｂは、方々の方向に向けて突出することになり、マスカラブラシ２０の使用において、睫毛に対する各ブリストル３１の捕捉性、捕捉保持性（キャッチ性）を高めることができる。このため、マスカラブラシ２０を用いれば、睫毛が各ブリストル３１から簡単には離脱しないようにして、睫毛に対する各ブリストル３１の接触時間（関与時間）を高めることができ、睫毛に対する各ブリストル３１による処理時間、液体化粧料の塗布時間、塗布量を増大させることができる。これにより、睫毛に対するカール付けや、睫毛のボリュームアップ等、きめ細かな調整を、一層容易に行うことができる。
【００４０】
さらに、各ブリストル３１においては、基本繊維３１Ａがねじられた複数の構成繊維３１Ａａにより構成され、その複数の構成繊維３１Ａａ（基本繊維３１Ａ）の外周面に巻回繊維３１Ｂが螺旋状に巻回されていることから、複数の構成繊維３１Ａａを強く束ねた状態（各構成繊維３１Ａａ間に大きな摩擦力を発生させている状態）で、それらが溶着一体化されており、各ブリストル３１の強度、剛性は高いものとなっている。このため、各ブリストル３１において、マスカラ液１２の保持能力に応じた高い強度、剛性を確保できると共に、ブリストル３１の櫛歯としての機能を向上させることができる。
【００４１】
しかもこの場合、巻回繊維３１Ｂが、複数の構成繊維３１Ａａを、そのねじれが効果的に抑制するように締め付けて、各構成繊維３１Ａａ間に、より大きな摩擦力等を発生させさせており、各ブリストル３１の強度、剛性は、著しく高いものとなっている。このため、マスカラ液１２の保持能力が向上するとしても、それに伴い、強度等の観点から対応するものとして好ましいものを提供できる。
【００４２】
さらにまた、マスカラ液１２として、繊維が含有されているものを使用する場合には、そのマスカラ液１２にマスカラブラシ２０のブリストル群３０を浸漬する際、そのマスカラ液１２中の含有繊維は、各ブリストル３１における螺旋状の凸部（巻回繊維）に絡み易くなる。このため、当該マスカラブラシ２０を用いれば、繊維を含有するマスカラ液１２をブリストル群３０に的確に保持して、それを睫毛等に塗布できる。
【００４３】
以上実施形態について説明したが本発明にあっては、次の態様を包含する。
（１）マスカラ液以外の液体化粧料用の化粧用ブラシとして用いること。
（２）マスカラブラシ（化粧用ブラシ）２０Ａを、筆軸部２２を省いて、芯線部３２と、ブリストル群３０とにより構成すること。
【符号の説明】
【００４４】
２０  マスカラブラシ（化粧用ブラシ）
３０  ブリストル群
３１  ブリストル
３１Ａ  基本繊維
３１Ｂ  巻回繊維
３１Ａａ  構成繊維
３２  芯線部
３３  微細な溝状の凹所（溝状の凹所）
【要約】
液体化粧料の保持能力を高めることができると共に、睫毛に対するきめ細やかな調整を、一層容易に行うことができる化粧用ブラスを提供する。芯線部（３２）と、芯線部（３２）に該芯線部（３２）の軸線を中心として放射状に取付けられつつ該芯線部（３２）の軸線方向に螺旋状態をもって連続するブリストル群（３０）と、を備えている。ブリストル群（３０）の各ブリストル（３１）は、複数の構成繊維（３１Ａａ）を束ねて構成される基本繊維（３１Ａ）と、基本繊維（３１Ａ）の外周面に螺旋状に巻回されている巻回繊維（３１Ｂ）と、を一体化することにより構成されている。【図１】
0005736093.tif 000002
【図２】
0005736093.tif 000003
【図５】
0005736093.tif 000004
【図６】
0005736093.tif 000005
【図７】
0005736093.tif 000006
【図３】
0005736093.tif 000007
【図４】
0005736093.tif 000008